(57)【要約】【課題】  野球、ソフトボールの試合の時に選手が使用するヘルメット、バット、グローブを一括して整理収納し、簡単に移動、運搬が出来るコンパクトな収納具にすることを課題としたものである。【解決手段】長方形の底板１の短辺側両端に、側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、天板１０と同一の貫通穴３、３・・・を設けた天板補助板１１、１２を、斜め下方に傾斜させて取り付け、上記底板１に長尺の土台板５、５を回動可能にして設けたことである。【選択図】    図１
2007125267.tif 000002
【特許請求の範囲】
【請求項１】
長方形の底板（１）の短辺側両端に、バットの太い部分の長さと略同一長さの側板（２、２）を略垂直にして取り付け、この側板（２、２）の両上端面に厚みのある天板（１０）を掛け渡して設け、この天板（１０）にバットの一番太い部分より僅かに大きい径の貫通穴（３、３・・・）を等間隔にして一列に設け、この天板（１０）の長手一方側面又は両側面に、バットの一番太い部分より僅かに大きい径の貫通穴（３、３・・・）を等間隔にして一列に設けた天板補助板（１１）又は／及び天板補助板（１２）を、短辺方向外側に各々斜め下方に傾斜させて取り付け、上記底板（１）の二箇所に軸（４、４）を取り付け、この軸（４、４）を長尺の土台板（５、５）に設けた穴（６、６）に嵌め込み、土台板（５、５）を回動可能にして設けたことを特徴とする野球・ソフトボール用具収納具。
【請求項２】
上記天板（１０）の長辺側の一方側面又は両側面に複数の蝶番（７、７・・・）を取り付け、この蝶番（７、７・・・）を介して天板補助板（１１）又は／及び天板補助板（１２）を取り付けたことを特徴とする請求項１記載の野球・ソフトボール用具収納具。
【請求項３】
上記底板（１）の長辺側両側面に複数の蝶番（１７、１７・・・）を取り付け、この蝶番（１７、１７・・・）を介して長方形の棚板（８、８）を取り付けたことを特徴とする請求項１又は２記載の野球・ソフトボール用具収納具。
【請求項４】
上記土台板（５、５）に複数の車輪（９、９・・・）を取り付けたことを特徴とする請求項１〜３のいずれかに記載の野球・ソフトボール用具収納具。
【発明の詳細な説明】
【技術分野】
【０００１】
本発明は、野球、ソフトボールの試合の時に選手が使用するヘルメット、バット、グローブなどの用具を一括して収納する方法に関するものである。
【背景技術】
【０００２】
通常野球、ソフトボールの試合の時に選手が使用する用具として、ヘルメット、バット、グローブ、ボールなどがある。試合をしている時に、先攻のチームの選手がバッターボックスに入る時には頭部を保護するためにヘルメットの着用が義務付けられている。ヘルメットはチーム又は個人が所有するものであり、多数のヘルメットを用意する必要がある。このヘルメットは攻撃側の選手が攻撃中に使用し、使用後はベンチ内に並べて置いているが、地面に置いた場合は砂がヘルメットに付いて汚れる。またヘルメットは場所を占めるのでベンチ内は狭くなり、複数あるヘルメットは他の選手のものと区別が付き難いものである。そしてバット、グローブもチーム又は個人が所有するものであり、これらのものを試合中に各選手が取り替えて使用することになるので、一括して収納出来る収納具がない限り整理が付かないものである。特開２００４−１４７７５４のヘルメット用架台は全体が箱状体であり、ヘルメットだけを箱状体の中に入れているが、高さ、横幅、奥行きは大きく持ち運ぶには適していない。特開平１１−９７４６のバット立て用具は箱型ケース内に設けたバット支持用筒状体のバットの先端を挿入支持させるものであるが、ヘルメット・グローブなどを収納することは出来ないものである。実登第３１０１３９２号のヘルメット・バット整理具兼運搬具は不安定で置き場所を広く取り、バットとヘルメットは別に離して置くことになる。
【０００３】
【特許文献１】特開２００４−１４７７５４
【特許文献２】特開平１１−９７４６
【特許文献３】実登第３１０１３９２号
【発明の開示】
【発明が解決しようとする課題】
【０００４】
野球、ソフトボールの試合中に順次選手がヘルメットを被り、バットを持ってバッターボックスに向かう、アウトになった選手はヘルメットとバットを元の場所に置く、守備から戻ってきた選手はグローブをどこかに置く、このような動作をスムーズに行うことが出来るようにすれば試合の進行にも役立ち、時間の無駄を省くことが出来る。自分のヘルメット、バット、グローブを一括して置くことによって、探すことなく簡単に取ったり置いたりすることが出来る。そして収納具本体も使用後はコンパクトにすることが出来れば車のトランクに入れて簡単に運搬することも出来る。コンパクトでヘルメットを取り易いものにする方法としては、立てて置いたバットのグリップエンドにヘルメットを被せ、その同じ場所の下にグローブを置けるようにすれば、チーム全員の用具を収納することが出来る。この収納具に車輪を取り付ければ簡単に移動することも出来るのである。
【０００５】
野球、ソフトボールの試合の時に選手が使用するヘルメット、バット、グローブを一括して整理収納し、簡単に移動、運搬が出来るコンパクトな収納具にすることを課題としたものである。
【課題を解決するための手段】
【０００６】
そこで、本発明の請求項１記載の野球・ソフトボール用具収納具（以下、本発明１と言う）は、長方形の底板１の短辺側両端に、バットの太い部分の長さと略同一長さの側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１又は／及び天板補助板１２を、短辺方向外側に各々斜め下方に傾斜させて取り付け、上記底板１の二箇所に軸４、４を取り付け、この軸４、４を長尺の土台板５、５に設けた穴６、６に嵌め込み、土台板５、５を回動可能にして設けたことを特徴としている。
【０００７】
本発明１で言う厚みのある天板１０とは、５ｍｍ〜５ｃｍぐらいの厚みのある板のことであり、バットの一番太い部分より僅かに大きい径の貫通穴３にバットを挿入した時にバットが左右にぶれ難い厚みのことである。天板補助板１１、１２が短辺方向外側に斜め下方に傾斜させた角度は、天板１０を取り付けている底板１に天板補助板１１、１２の貫通穴３にバットを挿入した時に、このバットの先端が底板１の上に載せることが出来る角度であり、ソフトボール用バットの場合は天板１０の上面から１８度ぐらい下方に傾斜させたものが良い角度である。
【０００８】
かかる構成により、図１に示すように本発明１は天板１０にバットの一番太い部分より僅かに大きい径の貫通穴３、３・・・を設け、この天板１０の長手一方側面又は両側面に天板１０と、同じ径の貫通穴３、３・・・を設けた天板補助板及び天板補助板１２の貫通穴３、３・・・に、バットの先端が底板１に当たるまで挿入して立て、このバットのグリップエンドにヘルメットを被せることによって、ヘルメットとバットを同じ場所に収納することが出来るものである。
【０００９】
本発明の請求項２記載の野球・ソフトボール用具収納具（以下、本発明２と言う）は、上記天板１０の長辺側の一方側面又は両側面に複数の蝶番７、７・・・を取り付け、この蝶番７、７・・・を介して天板補助板１１又は／及び天板補助板１２を取り付けたことを特徴としている。
【００１０】
かかる構成により、図３に示すように本発明２は、天板１０の長辺側の一方側面又は両側面に複数の蝶番７、７・・・を取り付け、この蝶番７、７・・・に取り付けた天板補助板１１又は／及び天板補助板１２を側板２、２の両側面に倒してコンパクトにすることが出来るものである。
【００１１】
本発明の請求項３記載の野球・ソフトボール用具収納具（以下、本発明３と言う）は、上記底板１の長辺側両側面に複数の蝶番１７、１７・・・を取り付け、この蝶番１７、１７・・・を介して長方形の棚板８、８を取り付けたことを特徴としている。
【００１２】
かかる構成により、図４に示すように本発明３は、底板１の長辺側両側面に複数の蝶番１７、１７・・・を取り付け、この蝶番７、７・・・に長方形の棚板８、８を取り付けることによって、この棚板８、８を土台板５、５の上に載せてグローブを置く事が出来るものであり、使用後は側板２、２の両側面に倒してコンパクトにすることが出来るものである。
【００１３】
本発明の請求項４記載の野球・ソフトボール用具収納具（以下、本発明４と言う）は、上記土台板５、５に複数の車輪９、９・・・を取り付けたことを特徴としている。
【００１４】
かかる構成により、図５に示すように本発明４は、土台板５、５に複数の車輪９、９・・・を取り付けロープ１３を引っ張ることによって、収納具を簡単に運ぶことが出来るものである。
【発明の効果】
【００１５】
本発明１の効果として、図１に示すように本発明１の天板１０の取り付け位置を、バットの太い部分の長さと略同一長さの側板２、２の上端面に掛け渡して取り付け、天板１０に間隔をあけて一列にして設けたバットの一番太い部分より僅かに大きい径の貫通穴３、３・・・にバットを挿入することによって、バットのぶれを少なくしてバットの出し入れを自在にすることが出来る。また底板１に回転可能にして取り付けた土台板５、５を底板１に対して直角に固定することによって、バットを安全に立てることが出来る。そして天板１０の貫通穴３、３・・・と重ならないように板補助板１１及び天板補助板１２の貫通穴３、３・・・を左右にずらし短辺方向外側に斜めに傾斜させて設けることによって、複数のバットの先端を底板１上に載せることが出来るので、バットのグリップエンドには各々ヘルメットを簡単に被せることが出来る。使用後は図２に示すように底板１に土台板５、５をベルト１４、１４で締め付けることによってコンパクトにすることも出来るものである。
【００１６】
本発明２の効果として、図３に示すように本発明２の上記天板１０の長辺側の一方側面又は両側面に複数の蝶番７、７・・・を取り付け、この蝶番７、７・・・を介して天板補助板１１又は／及び天板補助板１２を取り付けることによって、バットを立てる時は天板１０の長辺側側面に天板補助板１１又は／及び天板補助板１２を斜め下方に傾斜させた状態で固定し、使用後は側板２、２の側面に天板補助板１１又は／及び天板補助板１２を倒してコンパクトにすることが出来るものである。
【００１７】
本発明３の効果として、図４に示すように本発明３の上記底板１の長辺側両側面に複数の蝶番１７、１７・・・を取り付け、この蝶番１７、１７・・・を介して長方形の棚板８、８を取り付け、この棚板８、８を土台板５、５の上に載せることによって、グローブ、ボールなどの用具を載せることが出来る。使用後は図６に示すように側板２、２の側面に倒してベルト１４、１４で締め付けることによってコンパクトにすることが出来るものである。
【００１８】
本発明４の効果として、図５に示すように本発明４の土台板５、５の下面に複数の車輪９、９・・・を取り付け、収納具本体に取り付けたロープ１３を引っ張ることによって、収納具を簡単に運ぶことが出来るものである。
【発明を実施するための最良の形態】
【００１９】
長方形の底板１の短辺側両端に、バットの太い部分の長さと略同一長さの側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１又は／及び天板補助板１２を、短辺方向外側に各々斜め下方に傾斜させて取り付け、上記底板１の二箇所に軸４、４を取り付け、この軸４、４を長尺の土台板５、５に設けた穴６、６に嵌め込み、土台板５、５を回動可能にして設け、底板１の長辺側両側面に複数の蝶番１７、１７・・・を取り付け、この蝶番７、７・・・に長方形の棚板８、８を取り付け、この棚板８、８を土台板５、５の上に載せ、土台板５、５の下面に複数の車輪９、９・・・を取り付けたことである。
【実施例１】
【００２０】
実施の形態の一例として、図１は本発明１の斜視図であり、図２は説明図を示している。長方形の底板１の短辺側両端に、バットの太い部分の長さと略同一長さの側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１又は／及び天板補助板１２を、短辺方向外側に各々斜め下方に傾斜させて取り付け、上記底板１の二箇所に軸４、４を取り付け、この軸４、４を長尺の土台板５、５に設けた穴６、６に嵌め込み、土台板５、５を回動可能にして設けたことで構成されている。
【００２１】
本発明１の実施例を示している図１は、長方形の底板１の短辺側両端にバットの太い部分の長さと略同一長さの側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、この天板１０と同じ貫通穴３、３・・・を設けた天板補助板１１及び天板補助板１２を、短辺方向外側に各々斜め下方に傾斜させて取り付け、底板１の二箇所に軸４、４を取り付け、この軸４、４を長尺の土台板５、５に設けた穴６、６に嵌め込み、土台板５、５を底板１に対して直角に固定し、各々の天板１０、天板補助板１１、天板補助板１２に設けた貫通穴３、３・・・にバットを挿入して立て、この立てたバットのグリップエンドにヘルメットを被せたものである。
【００２２】
本発明１の使用方法は、試合が始まる前にチーム又は個人の所有するバットを、天板１０、天板補助板１１、天板補助板１２に設けた貫通穴３、３・・・に挿入して立て、チーム又は個人の所有するヘルメットをこのバットのグリップエンドに被せる。打順が回ってきた時にヘルメットを取り、バットを抜いてバッターボックスに向かうことが出来る。バットとヘルメットを同じ場所に置くことによって、ヘルメットを被らずにバッターボックスに入ることは無くなる。
【００２３】
本発明１の取り扱い方法は、図２に示しているように収納具本体を上下逆さまに置き、底板１に回転可能にして取り付けた土台板５、５を、底板１と同じ方向にして外周の二箇所にベルト１４、１４を掛け、このベルト１４、１４を締めることによってコンパクトにすることが出来るものである。使用する時は逆さまに置いている収納具を元に戻し、ベルト１４、１４を外して土台板５、５を底板１に対して直角にして固定すれば良い。
【００２４】
本発明１の実施の形態の一例として、底板１は厚み２．７ｃｍ、長さ１ｍ、幅９ｃｍの木製の板を使用し、天板１０は厚み２．７ｃｍ、長さ１ｍ、幅９ｃｍの木製の板にソフトボール用としては直径５．７ｃｍの貫通穴３を等間隔にして一列に開けている。そして複数のバットの先端を底板１に載せるため、夫々の天板１０、天板補助板１１、天板補助板１２の貫通穴３、３・・・を横方向にずらして重ならないように設ける必要がある。底板１に取り付けた１０ｍｍの螺子で厚み２．７ｃｍ、長さ２２ｃｍ、幅９ｃｍの二箇所に設けた土台板５を固定することが出来る。この収納具本体の重量は８ｋｇである。このように製作した本発明１の収納具を使用して試合をした場合、ソフトボール用具は綺麗に整理されて選手が用具を扱う動きも無駄がなく、試合の進行をスムーズにすることが出来た。本発明１の収納具は自動車のトランクに入れて簡単に運搬することが出来た。本発明１の収納具本体の別の材質として、アルミ、合成樹脂を使用して軽くしたものを製作することも出来る。また天板１に野球用バットの径に合わせた貫通穴３、３・・・を設け、野球用バットの太い部分の長さと略同一長さの側板２、２を取り付けることによって野球用の収納具を製作することが出来る。
【実施例２】
【００２５】
実施の形態の一例として、図３は本発明２の斜視図を示している。上記天板１０の長辺側の一方側面又は両側面に複数の蝶番７、７・・・を取り付け、この蝶番７、７・・・を介して天板補助板１１又は／及び天板補助板１２を取り付けたことで構成されている。
【００２６】
本発明２の実施例を示している図３は、天板１０の長辺側の両側面に四個の蝶番７、７、７、７を取り付け、この蝶番７を介して天板補助板１１及び天板補助板１２を回動可能にして取り付けたものであり、本発明２の天板補助板１１及び天板補助板１２にバット挿入して使用した後は、側板２、２の両側面に倒してコンパクトにすることが出来るものである。
【００２７】
実施の形態の一例として、天板補助板１１、１２は厚み２．７ｃｍ、長さ１ｍ、幅９ｃｍの木製の板を使用し、ソフトボール用としての天板１０は厚み２．７ｃｍ、長さ１ｍ、幅９ｃｍの木に直径５．７ｃｍの貫通穴３を等間隔にして設けている。この天板補助板１１、１２を使用する時に固定する方法は、天板１０と天板補助板１１、１２との間にベルトや鉤で引っ掛けることによって固定することが出来る。
【実施例３】
【００２８】
実施の形態の一例として、図４は本発明３の斜視図を示している。上記底板１の長辺側両側面に複数の蝶番１７、１７・・・を取り付け、この蝶番１７、１７・・・を介して長方形の棚板８、８を取り付けたことで構成されている。
【００２９】
本発明３の実施例を示している図４は、底板１の長辺側の両側面に四個の蝶番１７、１７、１７、１７を取り付け、この蝶番１７を介して棚板８、８を回動可能にして取り付け、棚板８、８の上にグローブを載せたものである。バットとヘルメットを置いた場所の下にグローブを置くことが出来るので、用具を捜すことなく攻撃、守備の時に用具の交換をスムーズにすることが出来るものである。棚板８、８の周りに囲いを取り付けることによって、ボールなど他のものを載せることが出来る。
【００３０】
実施の形態の一例として、棚板８は厚み１．９ｃｍ、長さ１ｍ、幅２２ｃｍの木製の板を使用したものである。幅が２２ｃｍあるので、複数のグローブは十分置くことが出来た。本発明３の使用後は図６に示すように両側板２、２の側面に棚板８、８を引っ付け、ベルト１４、１４で締め付けることによってコンパクトにすることが出来た。
【実施例４】
【００３１】
実施の形態の一例として、図５は本発明４の側面図を示している。上記土台板５、５に複数の車輪９、９・・・を取り付けたことで構成されている。
【００３２】
本発明４の実施例を示している図５は、収納具にヘルメット、バット、グローブを載せ、土台板５、５に四個の車輪９、９、９、９を取り付けたものである。自動車のトランクの中から出した後は、収納具に取り付けたロープ１３を引っ張ることによって、収納具本体を簡単に運ぶことが出来るものである。
【００３３】
実施の形態の一例として、直径７．５ｃｍの車輪９四個を土台板５、５の下面に取り付け、収納具に取り付けたロープ１３を引っ張ることによって、便利に使用することが出来た。そして図６に示すように車輪９を取り付け土台板５、５を底板１と同じ方向にして収納具本体を二本のベルト１４、１４で締め付けることによってコンパクトにすることが出来た。
【図面の簡単な説明】
【００３４】
【図１】本発明１の実施の形態の一例を示す斜視図である。
【図２】本発明１の実施の形態の一例を示す説明図である。
【図３】本発明２の実施の形態の一例を示す斜視図である。
【図４】本発明３の実施の形態の一例を示す斜視図である。
【図５】本発明４の実施の形態の一例を示す側面図である。
【図６】本発明４の実施の形態の一例を示す説明図である。
【符号の説明】
【００３５】
１    底板
２    側板
３    貫通穴
４    軸
５    土台板
６    穴
７    蝶番
８    棚板
９    車輪
１０    天板
１１    天板補助板
１２    天板補助板
１３    ロープ
１４    ベルト
１７    蝶番
【図１】
2007125267.tif 000003
【図２】
2007125267.tif 000004
【図３】
2007125267.tif 000005
【図４】
2007125267.tif 000006
【図５】
2007125267.tif 000007
【図６】
2007125267.tif 000008
【手続補正書】
【提出日】平成18年1月18日(2006.1.18)
【手続補正１】
【補正対象書類名】特許請求の範囲
【補正対象項目名】請求項１
【補正方法】変更
【補正の内容】
【請求項１】
長方形の底板（１）の短辺側両端に側板（２、２）を略垂直にして取り付け、この側板（２、２）の両上端面に厚みのある天板（１０）を掛け渡して設け、この天板（１０）にバットの一番太い部分より僅かに大きい径の貫通穴（３、３・・・）を等間隔にして一列に設け、この天板（１０）の長手一方側面又は両側面に、バットの一番太い部分より僅かに大きい径の貫通穴（３、３・・・）を等間隔にして一列に設けた天板補助板（１１、１２）を、斜め下方に傾斜させて取り付け、上記底板（１）の長手方向二箇所に間隔を空けて軸（４、４）を取り付け、この軸（４、４）で回動することにより、端部が底板（１）側辺方向に突出する土台板（５、５）に設けた穴（６、６）に嵌め込み、土台板（５、５）を回動可能にして設けたことを特徴とする野球・ソフトボール用具収納具。
【手続補正２】
【補正対象書類名】特許請求の範囲
【補正対象項目名】請求項２
【補正方法】変更
【補正の内容】
【請求項２】
上記天板（１０）の長辺側の一方側面又は両側面に複数の蝶番（７、７・・・）を取り付け、この蝶番（７、７・・・）を介して天板補助板（１１、１２）を取り付けたことを特徴とする請求項１記載の野球・ソフトボール用具収納具。
【手続補正３】
【補正対象書類名】明細書
【補正対象項目名】０００６
【補正方法】変更
【補正の内容】
【０００６】
そこで、本発明の請求項１記載の野球・ソフトボール用具収納具以下、本発明１と言うは、長方形の底板１の短辺側両端に側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１、１２を、斜め下方に傾斜させて取り付け、上記底板１の長手方向二箇所に間隔を空けて軸４、４を取り付け、この軸４、４で回動することにより、端部が底板１側辺方向に突出する土台板５、５に設けた穴６、６に嵌め込み、土台板５、５を回動可能にして設けたことを特徴としている。
【手続補正４】
【補正対象書類名】明細書
【補正対象項目名】０００８
【補正方法】変更
【補正の内容】
【０００８】
かかる構成により、図１に示すように本発明１は天板１０にバットの一番太い部分より僅かに大きい径の貫通穴３、３・・・を設け、この天板１０の長手一方側面又は両側面に天板１０と、同じ径の貫通穴３、３・・・を設けた天板補助板１１、１２の貫通穴３、３・・・に、バットの先端が底板１に当たるまで挿入して立て、このバットのグリップエンドにヘルメットを被せることによって、ヘルメットとバットを同じ場所に収納することが出来るものである。
【手続補正５】
【補正対象書類名】明細書
【補正対象項目名】０００９
【補正方法】変更
【補正の内容】
【０００９】
本発明の請求項２記載の野球・ソフトボール用具収納具（以下、本発明２と言う）は、上記天板１０の長辺側の一方側面又は両側面に複数の蝶番７、７・・・を取り付け、この蝶番７、７・・・を介して天板補助板１１、１２を取り付けたこと上記天板１０の長辺側の一方側面又は両側面に複数の蝶番７、７・・・を取り付け、この蝶番７、７・・・を介して天板補助板１１又は／及び天板補助板１２を取り付けたことを特徴としている。
【手続補正６】
【補正対象書類名】明細書
【補正対象項目名】００１０
【補正方法】変更
【補正の内容】
【００１０】
かかる構成により、図３に示すように本発明２は、天板１０の長辺側の一方側面又は両側面に複数の蝶番７、７・・・を取り付け、この蝶番７、７・・・に取り付けた天板補助板１１、１２を側板２、２の両側面に倒してコンパクトにすることが出来るものである。
【手続補正７】
【補正対象書類名】明細書
【補正対象項目名】００１５
【補正方法】変更
【補正の内容】
【００１５】
本発明１の効果として、図１に示すように本発明１の天板１０の取り付け位置を、バットの一番太い部分の長さと略同一長さの側板２、２の上端面に掛け渡して取り付け、天板１０に間隔をあけて一列にして設けたバットの一番太い部分より僅かに大きい径の貫通穴３、３・・・にバットを挿入することによって、バットのぶれを少なくしてバットの出し入れを自在にすることが出来る。また底板１に回転可能にして取り付けた土台板５、５を底板１に対して直角に固定することによって、バットを安全に立てることが出来る。そして天板１０の貫通穴３、３・・・と重ならないように天板補助板１１、１２の貫通穴３、３・・・を左右にずらし短辺方向外側に斜めに傾斜させて設けることによって、複数のバットの先端を底板１上に載せることが出来るので、バットのグリップエンドには各々ヘルメットを簡単に被せることが出来る。使用後は図２に示すように底板１に土台板５、５をベルト１４、１４で締め付けることによってコンパクトにすることも出来るものである。
【手続補正８】
【補正対象書類名】明細書
【補正対象項目名】００１６
【補正方法】変更
【補正の内容】
【００１６】
本発明２の効果として、図３に示すように本発明２の上記天板１０の長辺側の一方側面又は両側面に複数の蝶番７、７・・・を取り付け、この蝶番７、７・・・を介して天板補助板１１、１２を取り付けることによって、バットを立てる時は天板１０の長辺側側面に天板補助板１１、１２を斜め下方に傾斜させた状態で固定し、使用後は側板２、２の側面に天板補助板１１、１２を倒してコンパクトにすることが出来るものである。
【手続補正９】
【補正対象書類名】明細書
【補正対象項目名】００１９
【補正方法】変更
【補正の内容】
【００１９】
長方形の底板１の短辺側両端に、側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１、１２を、斜め下方に傾斜させて取り付け、上記底板１の長手方向二箇所に間隔を空けて軸４、４を取り付け、この軸４、４で回動することにより、端部が底板１側辺方向に突出する土台板５、５に設けた穴６、６に嵌め込み、土台板５、５を回動可能にして設け、底板１の長辺側両側面に複数の蝶番１７、１７・・・を取り付け、この蝶番７、７・・・に長方形の棚板８、８を取り付け、この棚板８、８を土台板５、５の上に載せ、土台板５、５の下面に複数の車輪９、９・・・を取り付けたことである。
【手続補正１０】
【補正対象書類名】明細書
【補正対象項目名】００２０
【補正方法】変更
【補正の内容】
【００２０】
実施の形態の一例として、図１は本発明１の斜視図であり、図２は説明図を示している。長方形の底板１の短辺側両端に、側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１又は／及び天板補助板１２を、短辺方向外側に各々斜め下方に傾斜させて取り付け、上記底板１の二箇所に軸４、４を取り付け、この軸４、４を長尺の土台板５、５に設けた穴６、６に嵌め込み、土台板５、５を回動可能にして設けたことで構成されている。
【手続補正１１】
【補正対象書類名】明細書
【補正対象項目名】００２１
【補正方法】変更
【補正の内容】
【００２１】
本発明１の実施例を示している図１は、長方形の底板１の短辺側両端に側板２、２を略垂直にして取り付け、この側板２、２の両上端面に厚みのある天板１０を掛け渡して設け、この天板１０にバットの一番太い部分より僅かに大きい径の貫通穴３、３・・・を等間隔にして一列に設け、この天板１０の長手一方側面又は両側面に、バットの一番太い部分より僅かに大きい径の貫通穴３、３・・・を等間隔にして一列に設けた天板補助板１１、１２を、斜め下方に傾斜させて取り付け、上記底板１の長手方向二箇所に間隔を空けて軸４、４を取り付け、この軸４、４で回動することにより、端部が底板１側辺方向に突出する土台板５、５に設けた穴６、６に嵌め込み、土台板５、５を底板１に対して直角に固定し、各々の天板１０、天板補助板１１、天板補助板１２に設けた貫通穴３、３・・・にバットを挿入して立て、この立てたバットのグリップエンドにヘルメットを被せたものである。
【手続補正１２】
【補正対象書類名】明細書
【補正対象項目名】００２５
【補正方法】変更
【補正の内容】
【００２５】
実施の形態の一例として、図３は本発明２の斜視図を示している。上記天板１０の長辺側の一方側面又は両側面に複数の蝶番７、７・・・を取り付け、この蝶番７、７・・・を介して天板補助板１１、１２を取り付けたことで構成されている。